(57)【要約】【課題】  専用に設けたロック筒体の単純な回動変位により、外装体に対する付け替え容器体の着脱を安定して簡単に達成するようにし、もって付け替え容器体と外装体の着脱を簡単にすると共に、外装体に対する付け替え容器体の安定した組付きが、維持されることを目的とする。【解決手段】  内容物を収納する付け替え容器体１の外装体８に対する装着を、付け替え容器体１と外装体８係止により達成し、この係止をロック筒体２２の単純な回動変位により保持・解除可能とし、これにより付け替え容器体１の外装体８に対する安定した係止組付き状態と、離脱可能状態を簡単に得ることができるようにし、もって付け替え容器体１の取扱いを容易とする。【選択図】  図２
2010173685.tif 000002
【特許請求の範囲】
【請求項１】
内容物を収納する収納部の上端部に、係止突条を設けた口部を有する付け替え容器体と、窓孔を開設した筒状の外装筒の上端に、頂壁を介して、組付け筒と前記口筒に外嵌する係合内筒を設けた外装体と、前記窓孔に一部を対向させて、前記係合内筒に回動可能に外嵌するロック筒体と、前記組付け筒に組付く機能部キャップとを有し、前記係合内筒に、前記係止突条に係止する係止舌片と係止突部を設け、前記ロック筒体に、前記係止舌片の外面に当接可能な膨出内面部を設けると共に、前記係止突部に係止する立ち上がり係止片を設けた付け替え容器。
【請求項２】
係合内筒に、係止舌片を垂下状に設けると共に、係止突部を外周面に設け、ロック筒体に、外装体に対する回動範囲の一部で、前記係止舌片の外面に当接するように膨出内面部を設けると共に、立ち上がり係止片を係止突部に上方から係止するように設けた請求項１に記載の付け替え容器。
【請求項３】
係合内筒に割り溝を設けることにより、前記係合内筒の一部を係止舌片とした請求項１または２に記載の付け替え容器。
【請求項４】
頂壁の一部に、該頂壁の内周縁部を残存させて開口切欠きを開設し、前記残存する頂壁の内周縁部を係止突部とした請求項１〜３のいずれか１項に記載の付け替え容器。
【請求項５】
膨出内面部の周方向の幅を、係止舌片の周方向の幅よりも小さい値に設定した請求項１〜４のいずれか１項に記載の付け替え容器。
【請求項６】
ロック筒体に、窓孔に露出する指掛け片を設けた請求項１〜５のいずれか１項に記載の付け替え容器。
【請求項７】
外装体に、ロック筒体の回動範囲を規制するストッパ片を設けた請求項１〜６のいずれか１項に記載の付け替え容器。
【請求項８】
係止舌片と膨出内面部との組合せを、軸対称に一対設けた請求項１〜７のいずれか１項に記載の付け替え容器。
【請求項９】
付け替え容器体を肉薄とした、請求項１〜８のいずれか１項に記載の付け替え容器。
【請求項１０】
外装体に装着された付け替え容器体の収納部の一部を、指先で挟持できるように外装筒を構成した請求項１〜９のいずれか１項に記載の付け替え容器。
【発明の詳細な説明】
【技術分野】
【０００１】
本発明は、美白剤、乳液、化粧水等の化粧品や、ヘアシャンプー、リンス、台所用洗剤等の液状や粒状等の内容物が収納された容器体を付け替え用とし、外装体に組付け使用する、付け替え容器に関する。
【背景技術】
【０００２】
従来より、美白剤、乳液、化粧水等の化粧品や、ヘアシャンプー、リンス、台所用洗剤等の容器体には、優れた機械的性質、耐薬品性等を有するポリエチレン等の合成樹脂が使用されており、また液状の内容物を定量ずつ安定して注出できるポンプや、液状や粒状等の内容物を取り出すヒンジキャップを取り付けた容器が多く利用されている。
【０００３】
これらの容器は、多くの場合、内容物を使い終わった時点で、ゴミとして廃棄されてきたが、最近に至って、環境問題、省資源、さらには内容物の劣化防止の観点から、繰り返し利用できる容器、使い切り容器、あるいは廃棄量を少しでも少なくする方法が、商品に対して要求されるようになっている。
【０００４】
このような要求に答える手段の一つとして、特開平７−１７５３８号公報には、口部を有した付け替え容器体に内容物を充填し、この付け替え容器体を、機械的強度の安定した外装体内に、着脱自在に内装組付けする技術が示されている。
【０００５】
上記した従来技術にあっては、安定した自立性を保持しながら、内容物の注出操作も容易に実現することができ、使用後には付け替え容器体のみを廃棄し、ポンプやキャップ等の機能部分を含めた外装体は再利用すればいいので、かなりのゴミ減量化を実現することができる。
【０００６】
しかしながら上記した特許文献１に示された従来技術にあっては、容器の組立て固定化のために付け替え容器体、外装体のほかに肩リングなる部品を使い、さらに各種の係止構造を設けて、付け替え容器体の回動により、外装体に係止固定する構成であり、この場合も製造コストが高くなり、また付け替え容器体の付け替え操作も、その分煩雑になると共に、替え容器体の不要な回動により、不正に離脱する、という問題があった。
【先行技術文献】
【特許文献】
【０００７】
【特許文献１】特開平７−１７５３８号公報
【発明の概要】
【発明が解決しようとする課題】
【０００８】
そこで、本発明は、上記した従来技術における問題点を解消すべく創案されたもので、専用に設けたロック筒体の単純な回動変位により、外装体に対する付け替え容器体の着脱を安定して簡単に達成することを技術的課題とし、もって付け替え容器体と外装体の着脱を簡単にすると共に、外装体に対する付け替え容器体の安定した組付きが、維持されることを目的とする。
【課題を解決するための手段】
【０００９】
上記技術的課題を解決するための本発明の主たる構成は、
内容物を収納する収納部の上端部に、係止突条を設けた口部を立設した付け替え容器体を有すること、
窓孔を開設した筒状の外装筒の上端に、頂壁を介して、組付け筒と、付け替え容器体の口筒に外嵌する係合内筒を設けた外装体を有すること、
この外装体の窓孔に一部を対向させて、外装体の係合内筒に回動可能に外嵌するロック筒体を有すること、
外装体の組付け筒に組付く機能部キャップを有すること、
にある。
【００１０】
外装体の係合内筒には、付け替え容器体の係止突条に係止する係止舌片と係合突部を設けている。
【００１１】
ロック筒体には、外装体の係止舌片の外面に当接可能な膨出内面部を設けると共に、外装体の係止突部に係止する立ち上がり係止片を設けている。
【００１２】
ロック筒体の膨出内面部が、外装体の係止舌片の外面に当接していない状態では、係止舌片は外側に弾性変位可能な「ロック解除状態」となっており、この状態で外装体の外装筒に付け替え容器体を下方から挿入装着すると、付け替え容器体の係止突条が係止舌片を押し広げて乗り越え係止する。
【００１３】
この状態で、ロック筒体を回動させて膨出内面部を係止舌片の外面に当接させると、係止突条と係止している係止舌片は外側への変位が不可能な「ロック状態」となり、これにより外装体に対する付け替え容器体の装着が離脱不能となる。
【００１４】
本発明の別の構成は、上記した主たる構成に加えて、外装体の係合内筒に、係止舌片を垂下状に設けると共に、係止突部を外周面に設け、ロック筒体に、外装体に対する回動範囲の一部で、外装体の係止舌片の外面に当接するように膨出内面部を設けると共に、立ち上がり係止片を外装体の係止突部に上方から係止するように設けた、ものである。
【００１５】
係止舌片を垂下状に設けたので、上方から乗り越え係止する係止突条との係止組付きを無理なく維持され、ロック筒体が外嵌する係合内筒の外面に係止突部を設けたので、ロック筒体の立ち上がり係止片と係止突部との係止組付き構造を簡単に得ることができる。
【００１６】
また、本発明の別の構成は、上記した主たる構成に加えて、外装体の係合内筒に割り溝を設けることにより、係合内筒の一部を係止舌片とした、ものである。
【００１７】
割り溝により係合内筒の一部を係止舌片としたものにあっては、垂下状の係止舌片を、必ずロック筒体の内周面部分に対向させることができる。
【００１８】
また、本発明の別の構成は、上記した主たる構成に加えて、外装体の頂壁の一部に、この頂壁の内周縁部を残存させて開口切欠きを開設し、残存する頂壁の内周縁部を係止突部とした、ものである。
【００１９】
頂壁に開口切欠きを設け、係止突部を残存形成したものにあっては、係止突部に対する立ち上がり係止片の係止組付きを、頂壁が邪魔とならない状態で達成させることができる。
【００２０】
また、本発明の別の構成は、上記した主たる構成に加えて、ロック筒体の膨出内面部の周方向の幅を、外装体の係止舌片の周方向の幅よりも小さい値に設定した、ものである。
【００２１】
膨出内面部を係止舌片よりも小さい幅に設定したものにあっては、「ロック状態」と「ロック解除状態」の切替えに要するロック筒体の回動量を小さくすることが可能となる。
【００２２】
また、本発明の別の構成は、上記した主たる構成に加えて、ロック筒体に、窓孔に露出する指掛け片を設けた、ものである。
【００２３】
指掛け片を窓孔から露出させたものにあっては、指掛け片に対する指先の引っ掛けが行い易いので、ロック筒体を簡単に回動操作できる。
【００２４】
また、本発明の別の構成は、上記した主たる構成に加えて、外装体に、ロック筒体の回動範囲を規制するストッパ片を設けた、ものである。
【００２５】
ストッパ片を設けたものにあっては、ストッパ片による停止により、ロック筒体を「ロック状態」もしくは「ロック解除状態」とすることができる。
【００２６】
また、本発明の別の構成は、上記した主たる構成に加えて、外装体の係止舌片とロック筒体の膨出内面部との組合せを、軸対称に一対設けた、ものである。
【００２７】
係止舌片と膨出内面部の組合せ物を軸対称に一対設けたものにあっては、係止舌片による付け替え容器体に対する係止力を、横方向から均等に作用させることになる。
【００２８】
また、本発明の別の構成は、上記した主たる構成に加えて、付け替え容器体を肉薄とした、ものである。
【００２９】
付け替え容器体を肉薄としたものにあっては、廃棄物となる付け替え容器体の樹脂量を少なくすることができるので、ゴミ減量化を得ることができる。
【００３０】
また、本発明の別の構成は、上記した主たる構成に加えて、外装筒に装着された付け替え容器体の収納部の一部を、指先で挟持できるように外装筒を構成した、ものである。
【００３１】
外装筒を、指先で付け替え容器体を挟持できる構成としたものにあっては、外装体に装着された付け替え容器体に対し、指先により取扱い操作力を直接作用させることができる。
【発明の効果】
【００３２】
本発明は、上記した構成となっているので、以下に示す効果を奏する。
本発明の主たる構成にあっては、ロック筒体の回動操作により、外装体に対する付け替え容器体の装着状態を、「ロック状態」と「ロック解除状態」の間で切り替えることができ、これにより外装体に対する付け替え容器体の着脱を簡単に行うことができる。
【００３３】
また、外装体に対する付け替え容器体の装着は、「ロック状態」となっている限り離脱不能に維持されるので、外装体と付け替え容器体との組付き固定を安定して保持する。
【００３４】
このように、外装体に対して付け替え容器体を安定して強固に組付けることができるので、容器を他の物品と一緒にバッグ等に入れて携帯した際に、他の物品との突き当たり等の衝撃により、付け替え容器体と外装体の組付きが外れることがなく、安全な携帯取扱いを得ることができる。
【００３５】
係合内筒に、係止舌片を垂下状に設けると共に、係止突部を外周面に設け、ロック筒体に、外装体に対する回動範囲の一部で、外装体の係止舌片の外面に当接するように膨出内面部を設けると共に、立ち上がり係止片を外装体の係止突部に上方から係止するように設けたものにあっては、安定した「ロック状態」を得ることができると共に、係止組付き構造を簡単にすることができる。
【００３６】
外装体の係合内筒に割り溝を設けることにより、係合内筒の一部を係止舌片としたものにあっては、垂下状の係止舌片を、必ずロック筒体の内周面部分に対向させることができる。
【００３７】
このため、係止舌片とロック筒体の内周面部分に形成された膨出内面部とは、必ず対向できる位置関係となり、この係止舌片と膨出内面部との適正な組合せ構造を、簡単に得ることができる。
【００３８】
外装体の頂壁の一部に、この頂壁の内周縁部を残存させて開口切欠きを開設し、残存する頂壁の内周縁部を係止突部としたものにあっては、係止突部の形成が容易であると共に、立ち上がり係止片を位置させるための専用のスペースを不要とし、これにより外装体とロック筒体との離脱不能な組付き構造の簡単化を得ることができると共に、容器の高さ寸法の小型化を得ることができる。
【００３９】
ロック筒体の膨出内面部の周方向の幅を、外装体の係止舌片の周方向の幅よりも小さい値に設定したものにあっては、、簡単で安定した切替え動作を得ることができる。
【００４０】
ロック筒体に、窓孔に露出する指掛け片を設けたものにあっては、ロック筒体を簡単に回動操作できるので、ロック筒体の回動操作が行い易いと共に、ロック筒体を小さな操作力で操作することができる。
【００４１】
外装体に、ロック筒体の回動範囲を規制するストッパ片を設けたものにあっては、ロック筒体を回動限界位置まで回動させることにより、確実な切替え操作が得られる。
【００４２】
外装体の係止舌片とロック筒体の膨出内面部との組合せを、軸対称に一対設けたものにあっては、付け替え容器体に対する係止舌片の係止作用が、強固に適正に作用して、外装体に対する付け替え容器体の安定した組付きを得ることができる
【００４３】
付け替え容器体を肉薄としたものにあっては、廃棄物となる付け替え容器体の樹脂量を少なくすることができるので、高い省資源化効果と、ゴミ減量化を得ることができる。
【００４４】
外装筒を、指先で付け替え容器体を挟持できる構成としたものにあっては、付け替え容器体の取扱いが容易となって、付け替え容器体を無理なく着脱取扱いすることができる。
【図面の簡単な説明】
【００４５】
【図１】本発明の一実施形態例の組付き状態を示す、背面図である。
【図２】図１に示した実施形態例のロック状態を示す、半縦断面図である。
【図３】図１の実施形態例の非ロック状態を示す、半縦断面図である。
【図４】本発明の他の実施形態例のロック状態を示す、半縦断面図である。
【図５】図４の実施形態例の分離状態を示す、半縦断面図である。
【図６】図２のＡ−Ａ線に沿って切断した、ロック状態の平断面図である。
【図７】図２中、丸で囲った部分の、拡大断面図である。
【図８】図３のＢ−Ｂ線に沿って切断した、非ロック状態の平断面図である。
【図９】図３中、丸で囲った部分の、拡大断面図である。
【図１０】図２のＣ−Ｃ船に沿って切断した、要部拡大断面図である。
【図１１】付け替え容器体の構成例を示す、半縦断面図である。
【図１２】機能部キャップの他の実施形態例を示す、半縦断面図である。
【発明を実施するための形態】
【００４６】
以下、本発明の実施形態を、図面を参照しながら説明する。
本発明による付け替え容器は、外装体８とロック筒体２２そして機能部キャップ２８の組合せ物と、使い捨て容器である付け替え容器体１とから構成されており、図１ないし図５の実施形態例における機能部キャップ２８は、ディスペンサーであるポンプ３１のポンプキャップとなっているのに対し、図１２の実施形態例における機能部キャップ２８は、ヒンジキャップ３４の組付きキャップとなっている。
【００４７】
付け替え容器体１（図１１参照）は、使い捨ての付け替え用として使用され、内容物を収納する有底筒状の収納部２の上端部に肩部を介して口部３を立設して構成され、専用のネジキャップ６または中栓キャップ７（図１１参照）を組付ける口部３の外周面下端部には、係止突条４が周設されている。
【００４８】
また、付け替え容器体１は、生産コストを低くすること、および廃棄物の減量の観点から、内容物を収納する機能が保持される範囲で、できる限り薄肉に形成することが望ましく、ＰＥＴ、ＰＥ，ＰＰ等のブロー成形品や、ＰＥＴの２軸延伸ブロー成形品を利用するのが有利である。
【００４９】
この付け替え容器体１は、図１ないし図３そして図１２に示した実施形態例の場合、その全体を外装体８の外装筒９内に収納させているのに対し、図４、図５そして図１１に示した実施形態例の場合は、収納部２の下端部に拡径下部５を設け、この拡径下部５を外装体８の外装筒９の下端から露出させている。
【００５０】
外装体８（図２ないし図５参照）は、付け替え容器体１を内装し、上部に窓孔１０を開設した外装筒９を有し、この外装筒９の上端には係合外筒１５が立設されていると共に、内鍔状の頂壁１２が連設されており、この頂壁１２の内周端には、内周面に一対のストッパ片２１を突設した係合内筒１６が連設されており、この係合内筒１６の上端から、外周面に螺条を刻設した組付け筒２０が起立設されていると共に、付け替え容器体１の口部３に密嵌入する密着筒片１９が、内鍔を介して垂下設されている。
【００５１】
図２と図３および図１２に示した実施形態例にあっては、外装筒９は、付け替え容器体１全体を収納する大きさとなっていて、その下部に一対の開放欠部１１が軸対象に形成されており、この開放欠部１１は指先の侵入が自在な大きさに形成されていて、外装体８に組付けられた付け替え容器体１を、直接指先で挟持することを可能としている。
【００５２】
なお、この外装筒９は、付け替え容器体１を外装体８に組付けた状態で、その下端が、付け替え容器体１の底面と同じか、この底面よりも下位に位置する高さを有しており、これにより外装筒９の下端部が、容器の脚部を形成して、安定した自立機能を発揮する。
【００５３】
また、図４と図５に示した実施形態例にあっては、外装筒９は、外装体８に組付けられた付け替え容器体１の拡径下部５を露出させる高さ寸法に成形されており、この外装筒９から露出した拡径下部５を直接挟持できるようにしている。
【００５４】
頂壁１２には、開口切欠き１３（図７、図９および図１０参照）が周方向に沿って開口形成されており、この開口切欠き１３の形成により、係合内筒１６側の開口切欠き１３の開口縁部に、係止突部１４が残存形成されている。
【００５５】
また、係合内筒１６の頂壁１２から下端縁にかけての部分には、一対の割り溝１７（図６、図８参照）により、内面下端に、付け替え容器体１の係止突条４に係止する係止片を有する係止舌片１８が形成されており、この係止舌片１８は、複数、例えば二個、軸対称に形成されている。
【００５６】
なお、係合内筒１６に外側から対向する外装筒９の内周面部分には、一対のストッパ片２１（図６、図８参照）が突設されており、このストッパ片２１は、ロック筒体２２の回動限界位置を設定することにより、ロック筒体２２を「ロック状態」（図６参照）か「ロック解除状態」（図８参照）に位置させる。
【００５７】
ロック筒体２２は、係合内筒１６に回動可能に外嵌する本体筒２３（図６、図８参照）を有し、この本体筒２３の上端から一対の立ち上がり係止片２４（図２および図９参照）が軸対称に起立設されており、本体筒２３の上端から下方に拡径した構造で突き当たり壁片２６（図６、図８参照）が設けられ、この突き当たり壁片２６の中央部に指掛け片２７が突設され、そして本体筒２３の内周面の係止舌片１８に対向できる箇所に、軸対称に一対の膨出内面部２５（図６参照）が膨出状に形成されている。
【００５８】
立ち上がり係止片２４は、内面上端に係止片を突設（図９参照）しており、外装体８の開口切欠き１３に下方から挿入されて、その係止片を係止突部１４に乗り越え係止（図９および図１０参照）させる。すなわち、外装体８に対するロック筒体２２の回動可能で離脱不能な組付きは、係合内筒１６に対する本体筒２３の回動可能な外嵌組付きと、係止突部１４に対する立ち上がり係止片２４の離脱不能な係止により達成される。
【００５９】
膨出内面部２５は、外装体８の係止舌片１８に外側から対向した状態（図６、図７参照、この状態は「ロック状態」である）で、この係止舌片１８に当接して、係止舌片１８の外方向への弾性変形を阻止し、これにより付け替え容器体１の係止突条４に対する係止舌片１８の係止を確保し、外装体８に対する付け替え容器体１の組付きを確保する。
【００６０】
膨出内面部２５が係止舌片１８に対向しない状態（図８、図９参照、この状態は「ロック解除状態」である）では、係止舌片１８は外方向への弾性変形が可能となるので、外装体８に対して付け替え容器体１を引き下げまたは螺脱により下降させると、係止舌片１８が弾性変形して、係止突条４に対する係止舌片１８の係止を解除でき、外装体８から付け替え容器体１を離脱させることができる。
【００６１】
外装体８に対する付け替え容器体１の装着は、係止舌片１８を係止突条４に係止させることにより達成されるが、外装体８に対する付け替え容器体１の組付きをより強固で安定したものとしたい場合は、図４と図５に示す実施形態例のように、係止突条４と係止舌片１８の係止組付きに、口筒３と係合内筒１６の螺合組つきを加えるのが良い。
【００６２】
図示実施形態例の場合、膨出内面部２５は、係止舌片１８と略同じ周方向幅を有しており、これにより係止突条４に対する係止舌片１８の強固で確実な係止を得るようにしているが、場合によっては、膨出内面部２５の周方向幅を小さくして、ロック筒体２２のロック状態切替えに要する回動量を小さくすることができる。
【００６３】
指掛け片２７は、指先での引っ掛け操作が行えるように、外装体８の窓孔１０から露出（図１参照）するように配置されており、また突き当たり壁片２６は、外装体８のストッパ片２１に突き当たる（図６、図８参照）ことにより、ロック筒体２２を「ロック状態」または「ロック解除状態」に位置させる。
【００６４】
この指掛け片２７が露出する窓孔１０の孔縁部分には、指掛け片２７の位置により、ロック筒体２２が「ロック状態」にあるか、反対に「ロック解除状態」にあるかを示す表示（図１参照、矢印と「ＬＯＣＫ］で構成されている）が設けられており、指掛け片２７の位置を視認することにより、ロック状態を簡単に確認できるようにしている。
【００６５】
なお、この突き当たり壁片２６は、図６ないし図９に示すように、窓孔１０を内側から塞ぐ状態で位置し、これにより窓孔１０が不体裁に開放状態となるのを防止している。
【００６６】
機能部キャップ２８は、取付き筒２９を外装体８の組付け筒２０に螺合組付けし、この機能部キャップ２８の外装体８に対する組付きは、パッキン３０により密に達成されている。
【００６７】
図１ないし図５に示した実施形態例にあっては、機能部キャップ２８によりポンプ３１が外装体８に組付けられるが、このポンプ３１は、ノズルヘッド３２とシリンダ部３３を有しており、またこのポンプ３１全体を覆う形態で、外装体８の係合外筒１５にオーバーキャップ３８が着脱される。
【００６８】
図１２は、機能部キャップ２８を、ヒンジキャップ３４のキャップ本体部としたもので、このヒンジキャップ３４のキャップ本体部である機能部キャップ２８には注出筒３５が起立設されており、またこの機能部キャップ２８には、注出筒３５を開閉する開閉蓋３６がヒンジ３７を介して連結されている。
【００６９】
次に、図示実施形態例の動作を説明する。
外装体８とロック筒体２２と機能キャップ２８の組付けは、外装体８の係合内筒１６にロック筒体２２を本体筒２３で回動可能に外嵌組付けすると共に、ロック筒体２２の立ち上がり係止片２４を、開口切欠き１３に挿入させて係止突部１４に上方から係止させることにより、外装体８とロック筒体２２を回動可能ではあるが離脱不能に組付け、外装体８の組付け筒２０に機能部キャップ２８の取付き筒２９を螺合（図１ないし図５参照）させることにより、外装体８と機能部キャップ２８を組付ける。
【００７０】
外装体８に対する付け替え容器体１の組付けは、まずロック筒体２２を「ロック解除状態」（図８、図９参照）に位置させて、口部３を開放した付け替え容器体１を、外装筒９に下方から挿入組付けする。
【００７１】
この挿入組付けにより、係止突条４が係止舌片１８を弾性変形させて、上方から乗り越え係止する。
【００７２】
次いで、ロック筒体２２を「ロック状態」（図６、図７参照）の位置に回動させることにより、係止舌片１８の外側に膨出内面部２５を当接させ、これにより係止舌片１８と係止突条４の係止を解除不能とし、外装体８に対する付け替え容器体１の離脱不能な組付けを達成する。
【００７３】
この係止突条４と係止舌片１８との係止は、ロック筒体２２のロック解除操作がない限り、強固に確保されるので、外装体８に対する付け替え容器体１の組付けは、安定した確保される。
【００７４】
付け替え容器体１の外装体８からの取外しは、ロック筒体２２を回動させて「ロック解除状態」として、係止舌片１８に対する膨出内面部２５の当接を解除して、係止舌片１８が自由に弾性変形できるようにし、外装体９に対して付け替え容器体１を引下げまたは螺脱させることにより下降変位させ、これにより係止突条４と係止舌片１８の係止を解除して達成する。
【００７５】
なお、上記説明においては、機能部キャップ２８として、ポンプキャップとヒンジキャップのキャップ本体部を例として説明したが、機能部キャップ２８は、この二つに特定されることはなく、内容液の塗布体のキャップや、櫛キャップ等であっても良い。
【産業上の利用可能性】
【００７６】
以上説明したように、本発明における外装体とロック筒体の組合せ構造は、ロック筒体の単純で簡単な回動操作により、第三の部材である付け替え容器体の外装体への着脱を確保するものであり、複数の部材を簡単にかつ強固に結合する技術として、幅広い利用展開が期待できる。
【符号の説明】
【００７７】
１  ；付け替え容器体
２  ；収納部
３  ；口部
４  ；係止突条
５  ；拡径下部
６  ；ネジキャップ
７  ；中栓キャップ
８  ；外装体
９  ；外装筒
１０；窓孔
１１；開放欠部
１２；頂壁
１３；開口切欠き
１４；係止突部
１５；係合外筒
１６；係合内筒
１７；割り溝
１８；係止舌片
１９；密着筒片
２０；組付け筒
２１；ストッパ片
２２；ロック筒体
２３；本体筒
２４；立ち上がり係止片
２５；膨出内面部
２６；突き当たり壁片
２７；指掛け片
２８；機能部キャップ
２９；取付き筒
３０；パッキン
３１；ポンプ
３２ノズルヘッド
３３；シリンダ部
３４；ヒンジキャップ
３５；注出筒
３６；開閉蓋
３７；ヒンジ
３８；オーバーキャップ
【図１】
2010173685.tif 000003
【図２】
2010173685.tif 000004
【図３】
2010173685.tif 000005
【図４】
2010173685.tif 000006
【図５】
2010173685.tif 000007
【図６】
2010173685.tif 000008
【図７】
2010173685.tif 000009
【図８】
2010173685.tif 000010
【図９】
2010173685.tif 000011
【図１０】
2010173685.tif 000012
【図１１】
2010173685.tif 000013
【図１２】
2010173685.tif 000014